(57)【要約】【課題】  歌唱動画を公開する際に歌唱者キャラクタを使用するとともに、当該歌唱動画の視聴回数に応じて観客キャラクタを含む背景映像を変化させる。【解決手段】  歌唱音声と、歌唱者キャラクタ及び観客キャラクタと、観客キャラクタの数に対応した背景映像とで構成される複数の合成歌唱動画１９を記憶する第１記憶手段１８と、観客キャラクタの１９ｃのキャラクタデータ２０ａを取得する取得手段１３と、第１記憶手段１８に記憶された複数の合成歌唱動画１９の中から、任意の合成歌唱動画１９について再生要求を受け付ける度に、当該合成歌唱動画１９を編集する編集手段１４と、編集された合成歌唱動画１９を、当該カラオケ演奏データとともに配信する配信手段１５とを備える。編集手段１４は、合成歌唱動画１９の再生要求を受け付ける度に、観客キャラクタ１９ｃを当該合成歌唱動画１９に追加する。【選択図】図１
2015210345.tif 000002
【特許請求の範囲】
【請求項１】
通信カラオケシステムのサーバであって、
カラオケ演奏に合わせて歌唱者が歌唱した歌唱音声と、少なくとも歌唱者を模した歌唱者キャラクタ及び観客を模した観客キャラクタと、歌唱が行われる施設の内部を模した映像であって前記観客キャラクタの数に対応した背景映像とで構成される複数の合成歌唱動画を記憶する第１記憶手段と、
前記観客キャラクタのキャラクタデータを取得する取得手段と、
前記第１記憶手段に記憶された前記複数の合成歌唱動画の中から、任意の合成歌唱動画について再生要求を受け付ける度に、当該合成歌唱動画を編集する編集手段と、
前記編集手段により編集された合成歌唱動画を、当該カラオケ演奏データとともに配信する配信手段と、を備え、
前記編集手段は、前記取得手段により取得されたキャラクタデータに基づいた観客キャラクタを、当該合成歌唱動画に追加する、
ことを特徴とする通信カラオケシステムのサーバ。
【請求項２】
複数の異なるキャラクタデータを記憶する第２記憶手段を備え、
前記取得手段は、前記第２記憶手段が記憶する複数の異なるキャラクタデータの中から１つを取得する、
ことを特徴とする請求項１に記載の通信カラオケシステムのサーバ。
【請求項３】
前記再生要求を受け付ける際に、前記キャラクタデータを受信する受信手段を備え、
前記取得手段は、前記受信手段が受信したキャラクタデータを取得する、
ことを特徴とする請求項１に記載の通信カラオケシステムのサーバ。
【請求項４】
観客キャラクタの数にそれぞれ対応した複数の背景映像のデータを記憶する第３記憶手段を備え、
前記編集手段は、前記背景映像が前記観客キャラクタの数に対応しない場合には、当該背景映像に代えて前記第３記憶手段が記憶する複数の背景映像のうちから当該観客キャラクタの数に対応する背景映像を選択し、前記合成歌唱動画を生成する、
ことを特徴とする請求項１〜３のいずれか１項に記載の通信カラオケシステムのサーバ。
【請求項５】
前記背景映像に対応した音響効果を前記歌唱音声に付与する効果付与手段を備えることを特徴とする請求項１〜４のいずれか１項に記載の通信カラオケシステムのサーバ。
【発明の詳細な説明】
【技術分野】
【０００１】
本発明は通信カラオケシステムのサーバに関するものであり、詳しくは、歌唱者の歌唱音声、歌唱者キャラクタ、観客キャラクタと、歌唱が行われる施設の内部を模した映像とを合成した背景映像を生成し、当該背景映像を観客キャラクタの数に対応して変更することが可能な通信カラオケシステムのサーバに関するものである。
【背景技術】
【０００２】
カラオケ歌唱の楽しさを増したり、場の雰囲気を盛り上げたりするために、カラオケ歌唱中に表示される背景映像として歌唱者を模したキャラクタが登場するアニメーションを表示するサービスが知られている（特許文献１、特許文献２、特許文献３参照）。特許文献１に記載された技術は、ロックなら街頭、演歌なら海辺など、歌唱する楽曲のジャンルに応じた背景の中で歌唱者キャラクタが歌唱し、歌唱中の採点経過に応じた数の観客キャラクタが集まってきて見物するというアニメーション技術に関するものである。
【０００３】
この技術によれば、歌唱の評価を表示する際に、点数を表示するのではなく、歌唱が上手いと判定されると観客の集まり具合が良く、歌唱が下手だと集まり具合が悪くなるように表示が制御されるので、機械的な歌唱評価ではなく、人間的な面白味のある歌唱評価を行うことができる。
【０００４】
また、特許文献２に記載された技術は、歌唱時の同席者数に応じて「仮想ファンクラブの会員数」が累積され、この会員数に応じた会場やホールで歌唱者キャラクタが歌唱するというアニメーション技術に関するものである。
【０００５】
この技術によれば、会員数が少なければ駅前の路上で歌唱することになるが、会員数が多くなるとドーム球場で歌唱することができるようになる。これにより、カラオケの興趣が増し、歌唱者や同席者の再来店を促すことができる。
【０００６】
また、特許文献３に記載された技術は、背景映像として観客数の異なる観客映像を複数記憶し、所定期間における楽曲の演奏回数に基づいて楽曲の人気の度合いを判定し、観客規模を決定するようになっている。この場合、演奏回数が多ければ人気の高い楽曲と判定され、観客数の多い観客映像シーンが選択されるようになっている。このように、演奏回数に応じて観客数が異なる観客映像シーンが背景映像となるので、臨場感を高めた背景映像を表示することができる。
【０００７】
また、投稿された歌唱映像を再生する際、投稿されたままの態様で再生するのではなく、歌唱映像に変更を加えながら再生する技術が知られている（特許文献４参照）。特許文献４に記載された技術は、投稿された複数の歌唱動画を同期再生する共演動画において、双方の動画に関連性のある映像効果を付与するものである。このように、複数の歌唱動画を同期再生する際に、互いに関連性のある映像効果を付与するので、歌唱動画の統一感を高めることができる。
【先行技術文献】
【特許文献】
【０００８】
【特許文献１】特開平０８−１６６７８０号公報
【特許文献２】特開２００２−４１０６７号公報
【特許文献３】特開２００４−３３３５７７号公報
【特許文献４】特開２０１２−２０９８５６号公報
【発明の概要】
【発明が解決しようとする課題】
【０００９】
上述したように、歌唱動画を公開する技術は種々開示されているが、カラオケで歌唱を楽しむ人の中には、自らの顔を公開したくないが、歌唱には自信があるため、第三者に対して実際の顔画像を公開することなく歌唱を公開したいと望む者は少なくない。しかし、動画再生を行うことが一般的となっている現在では、歌唱音声だけを公開しても、第三者の視聴を促すことは容易ではない。
【００１０】
そこで、従来技術の組み合せにおいて、歌唱者キャラクタや観客キャラクタの登場する背景映像と、現実の歌唱者の歌唱音声とを用いて、新たな歌唱動画を合成して、公開サイトに投稿することが考えられる。
【００１１】
このような技術では、背景映像は、あくまでカラオケ歌唱と同時にその場だけで楽しむことを目的として提供されるものであり、新たな合成歌唱動画として投稿された作品をパソコンや携帯端末で視聴しても、いつも同じ内容が再生されるため、面白味に欠け、視聴者に飽きられ易いという懸念がある。
【００１２】
本発明は、上述した事情に鑑み提案されたもので、歌唱動画を公開する際に歌唱者キャラクタを使用するとともに、当該歌唱動画の視聴回数に応じて観客キャラクタを含む背景映像を変化させることが可能な通信カラオケシステムのサーバを提供することを目的とする。
【課題を解決するための手段】
【００１３】
本発明の通信カラオケシステムのサーバは、上述した事情に鑑み提案されたもので、以下の特徴点を有している。すなわち、本発明の通信カラオケシステムのサーバは、第１記憶手段と、取得手段と、編集手段と、配信手段とを備えたことを特徴とするものである。
【００１４】
第１記憶手段は、カラオケ演奏に合わせて歌唱者が歌唱した歌唱音声と、少なくとも歌唱者を模した歌唱者キャラクタ及び観客を模した観客キャラクタと、歌唱が行われる施設の内部を模した映像であって観客キャラクタの数に対応した背景映像とで構成される複数の合成歌唱動画を記憶するための手段である。
【００１５】
取得手段は、観客キャラクタのキャラクタデータを取得するための手段である。編集手段は、第１記憶手段に記憶された複数の合成歌唱動画の中から、任意の合成歌唱動画について再生要求を受け付ける度に、当該合成歌唱動画を編集するための手段である。配信手段は、編集手段により編集された合成歌唱動画を、当該カラオケ演奏データとともに配信するための手段である。そして、編集手段は、取得手段により取得されたキャラクタデータに基づいた観客キャラクタを当該合成歌唱動画に追加する。
【００１６】
また、上述した構成に加えて、複数の異なるキャラクタデータを記憶する第２記憶手段を備えることが可能である。このような構成とした場合に、取得手段は、第２記憶手段が記憶する複数の異なるキャラクタデータの中から１つを取得するように機能させる。
【００１７】
また、上述した構成に加えて、再生要求を受け付ける際に、キャラクタデータを受信する受信手段を備えることが可能である。このような構成とした場合、取得手段は、受信手段が受信したキャラクタデータを取得する。
【００１８】
また、上述した構成に加えて、観客キャラクタの数にそれぞれ対応した複数の背景映像のデータを記憶する第３記憶手段を備えることが可能である。このような構成とした場合、編集手段は、背景映像が観客キャラクタの数に対応しない場合には、当該背景映像に代えて第３記憶手段が記憶する複数の背景映像のうちから当該観客キャラクタの数に対応する背景映像を選択し、合成歌唱動画を生成する。
【００１９】
また、上述した構成に加えて、背景映像に対応した音響効果を歌唱音声に付与する効果付与手段を備えることが可能である。
【００２０】
このような構成からなる通信カラオケシステムのサーバでは、公開された合成歌唱動画は再生される度に編集され、観客キャラクタが追加される。また、再生回数が所定値を超えると、すなわち、客席が満席になると、より収容人数の大きい会場の映像に順次変更されていくように編集される。
【発明の効果】
【００２１】
本発明の通信カラオケシステムのサーバでは、投稿された合成歌唱動画の人気が上がると再生回数が増え、色々なバリエーションの合成歌唱動画を楽しむことができる。また、投稿者や視聴者の間に一体感が醸成され、これまでにない歌唱動画の楽しみ方を提供することができる。
【００２２】
また、視聴者にとっては、気に入った合成歌唱動画を繰り返し再生しても映像が変化するので、視聴の楽しみを増すことができ、合成歌唱動画の視聴に飽きることがない。一方、歌唱者にとっては、再生回数が増えたことを観客数の増加として視覚的に実感することが期待できるので、歌唱のモチベーションを高めることができる。
【図面の簡単な説明】
【００２３】
【図１】本発明の実施形態に係る通信カラオケシステムのサーバの概略構成を示すブロック図。
【図２】観客キャラクタ数と背景映像との関係を示す説明図。
【図３】合成歌唱動画の生成手順を示す説明図。
【図４】合成歌唱動画の変化を示す模式図。
【発明を実施するための形態】
【００２４】
図面を参照して、本発明の通信カラオケシステムのサーバの実施形態について説明する。図１〜図４は本発明の実施形態に係る通信カラオケシステムのサーバを説明するもので、図１はサーバの概略構成を示すブロック図、図２は観客キャラクタ数と背景映像との関係を示す説明図、図３は合成歌唱動画の生成手順を示す説明図、図４は合成歌唱動画の変化を示す模式図である。
【００２５】
＜通信カラオケシステムのサーバの概要＞
本発明の実施形態に係る通信カラオケシステムのサーバ１０は、図１に示すように、基本構成となる機能手段として、第１記憶手段１８、取得手段１３、編集手段１４、配信手段１５を備えている。また、サーバ１０は、これらの機能手段に加えて、第２記憶手段２０、受信手段１６、第３記憶手段２１、効果付与手段１７を備えていてもよい。なお、１台のサーバ１０により上述したすべての機能手段を実現するのではなく、複数のサーバにより上述した機能手段を分割して実現してもよく、この場合には仮想化技術により１台のサーバを複数のサーバとして稼働させることもできる。
【００２６】
以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２７】
また、サーバ１０は、複数のカラオケ演奏装置３０を総合的に管理するとともに、携帯情報端末７０やパーソナルコンピュータ８０との間でデータの送受信を行うことが可能な装置であり、インターネット、専用電話回線、一般電話回線、無線通信回線等のデータ通信回線５０や通信基地局４０を介して、利用者のパーソナルコンピュータ８０や携帯情報端末７０とデータ通信を行うことができる。さらに、サーバ１０は、データ通信回線５０及びルータ６０を介して、複数のカラオケ演奏装置３０と接続されている。
【００２８】
このサーバ１０は、図１に示すように、サーバ１０として機能するための主要な機器として、ＣＰＵ等を含む中央制御手段１１、通信制御手段１２を備えている。さらに、上述したように、本発明に係る通信カラオケシステムを実現するための手段として、第１記憶手段１８、取得手段１３、編集手段１４、配信手段１５、第２記憶手段２０、受信手段１６、第３記憶手段２１、効果付与手段１７を備えている。また、サーバ１０の記憶装置（図示せず）には、複数のカラオケ演奏データが記憶されており、配信手段１５は、編集手段１４により編集された合成歌唱動画１９を、当該カラオケ演奏データとともに配信する。また、カラオケ演奏データは、カラオケ演奏装置３０へも配信される。
【００２９】
＜第１記憶手段＞
第１記憶手段１８は、ＨＤＤ等の大容量記憶装置からなり、カラオケ演奏に合わせて歌唱者が歌唱した歌唱音声１９ａと、少なくとも歌唱者を模した歌唱者キャラクタ１９ｂ及び観客を模した観客キャラクタ１９ｃと、歌唱が行われる施設の内部を模した映像であって観客キャラクタ１９ｃの数に対応した背景映像１９ｄとで構成される複数の合成歌唱動画１９を記憶している。
【００３０】
すなわち、本実施形態の第１記憶手段１８には、公開を目的として作成された複数の合成歌唱動画１９が記憶されており、各合成歌唱動画１９は、歌唱者キャラクタ１９ｂと、観客キャラクタ１９ｃと、観客キャラクタ１９ｃの人数に対応する施設を表現した映像からなる背景映像１９ｄとが記憶されている。合成歌唱動画１９の再生回数と観客キャラクタ１９ｃの数との関係、観客キャラクタ１９ｃの数と背景映像１９ｄとの関係については、後に詳述する。
【００３１】
＜取得手段＞
取得手段１３は、観客を模した観客キャラクタ１９ｃのキャラクタデータ２０を取得するための手段である。すなわち、合成歌唱動画１９を作成する際に、取得手段１３の機能により、観客キャラクタ１９ｃのキャラクタデータ２０を取得する。また、取得手段１３は、歌唱者を模した歌唱者キャラクタ１９ｂのキャラクタデータ２０を取得するように構成してもよい。歌唱者キャラクタ１９ｂ及び観客キャラクタ１９ｃのキャラクタデータ２０については、後に詳述する。
【００３２】
＜編集手段＞
編集手段１４は、第１記憶手段１８に記憶された複数の合成歌唱動画１９の中から、任意の合成歌唱動画１９について再生要求を受け付ける度に、当該合成歌唱動画１９を編集するための手段である。すなわち、本実施形態の編集手段１４は、任意の合成歌唱動画１９について再生要求を受け付けると、その都度、歌唱音声、歌唱者キャラクタ１９ｂ、観客キャラクタ１９ｃ、背景映像１９ｄの各データを用いて合成歌唱動画１９を編集する。
【００３３】
＜配信手段＞
配信手段１５は、編集手段１４により編集された合成歌唱動画１９を、当該カラオケ演奏データとともに配信するための手段である。すなわち、配信手段１５は、任意の合成歌唱動画１９について再生要求を受け付けると、当該合成歌唱動画１９にカラオケ演奏データを付加し、再生要求を発信したパーソナルコンピュータ８０等に対して、合成歌唱動画１９及びカラオケ演奏データを配信する。この配信手段１５を設けた場合には、編集手段１４は、取得手段１３により取得されたキャラクタデータ２０ａに基づいた観客キャラクタ１９ｃを当該合成歌唱動画１９に追加する。
【００３４】
具体的には、配信手段１５により合成歌唱動画１９を配信すると、合成歌唱動画１９の再生回数が１回増加することになる。そして、編集手段１４では、合成歌唱動画１９の再生要求を受け付ける毎に観客キャラクタ１９ｃが増加し、合成歌唱動画１９を編集して、当該観客キャラクタ１９ｃの数に対応した新たな合成歌唱動画１９を生成することになる。
【００３５】
＜第２記憶手段＞
第２記憶手段２０は、ＨＤＤ等の大容量記憶装置からなり、複数の異なるキャラクタデータ２０ａを記憶する。このような構成とした場合に、取得手段１３は、第２記憶手段２０が記憶する複数の異なるキャラクタデータ２０ａの中から１つを取得するように機能する。すなわち、第２記憶手段２０は、少なくとも、観客キャラクタ１９ｃについて、複数の異なるキャラクタデータ２０ａを記憶する。また、第２記憶手段２０は、少なくとも１つ以上の歌唱者キャラクタ１９ｂを記憶してもよい。第２記憶手段２０に記憶している歌唱者キャラクタ１９ｂが複数の場合には、各歌唱者キャラクタ１９ｂはそれぞれ異なっている。
【００３６】
そして、取得手段１３は、複数の異なるキャラクタデータ２０ａの中から１つを取得するようになっている。複数の異なるキャラクタデータ２０ａの中から１つを取得するためには、キャラクタデータ２０ａを選択する必要があるが、当該選択は、サーバ１０が自動的に行ってもよいし、利用者からの指示入力に基づいて行ってもよい。
【００３７】
＜受信手段＞
受信手段１６は、再生要求を受け付ける際に、キャラクタデータを受信するための手段である。このような構成とした場合、取得手段１３は、受信手段１６が受信したキャラクタデータを取得する。具体的には、利用者がパーソナルコンピュータ８０等を用いて合成歌唱動画１９を視聴しようとして、パーソナルコンピュータ８０等から再生要求信号が発信されると、受信手段１６は、当該再生要求を受け付ける際に、同時にパーソナルコンピュータ８０等から任意のキャラクタデータを受信する。
【００３８】
すなわち、受信手段１６を備えた構成の場合には、取得手段１３は、第２記憶手段２０に記憶されたキャラクタデータ２０ａを取得するのではなく、再生要求信号を発信したパーソナルコンピュータ８０等からキャラクタデータ２０ａを取得することになる。
【００３９】
＜第３記憶手段＞
第３記憶手段２１は、ＨＤＤ等の大容量記憶装置からなり、観客キャラクタ１９ｃの数にそれぞれ対応した複数の背景映像データ２１ａを記憶する。このような構成とした場合、編集手段１４は、背景映像１９ｄが観客キャラクタ１９ｃの数に対応しない場合には、当該背景映像１９ｄに代えて第３記憶手段２１が記憶する複数の背景映像データ２１ａのうちから当該観客キャラクタ１９ｃの数に対応する背景映像１９ｄを選択し、合成歌唱動画１９を生成する。
【００４０】
具体的には、第３記憶手段２１には、背景映像データ２１ａとして規模の異なる施設に対応した背景映像１９ｄを複数記憶しておき、観客キャラクタ１９ｃの数が増加して、それまで背景映像１９ｄとして使用していた規模の施設に収まりきれなくなった場合に、すべての観客キャラクタ１９ｃを収容することができる規模の施設を背景映像１９ｄとして選択し、合成歌唱動画１９を生成する。
【００４１】
＜効果付与手段＞
効果付与手段１７は、背景映像１９ｄに対応した音響効果を歌唱音声１９ａに付与するためのプログラムからなる。すなわち、効果付与手段１７では、歌唱音声１９ａに対して、背景映像１９ｄとして使用する規模の施設に対応した音響効果を付与する。例えば、小さなスナックを背景映像１９ｄとした場合には、殆ど音響効果がない歌唱音声１９ａとし、大ホールを背景映像１９ｄとした場合には、大ホールに見合った音響効果を付加した歌唱音声１９ａとする。音響効果の詳細については、後に詳述する。
【００４２】
＜合成歌唱動画の生成手順＞
次に、図２〜図４を参照して、本発明の実施形態において合成歌唱動画１９を生成する手順について具体的に説明する。なお、以下の説明では、合成歌唱動画１９の名称や観客キャラクタ１９ｃの数を具体的に示しているが、これらは例示であり、実際の合成歌唱動画１９の生成では、合成歌唱動画公開サイトの規模等に応じて、種々の設定を行うことができる。
【００４３】
図３に示すように、視聴者が、パーソナルコンピュータ８０や携帯情報端末７０（例えば、スマートフォン）等を用いて合成歌唱動画公開サイトにアクセスすると（Ｓ１）、サーバ１０は投稿された複数の合成歌唱動画１９のサムネイルを表示する（Ｓ２）。そして、視聴者が合成歌唱動画１９を指定し、パーソナルコンピュータ８０等から再生指示信号を受信すると（Ｓ３）、観客キャラクタ１９ｃの数を増加させる（Ｓ４）。
【００４４】
続いて、観客キャラクタ１９ｃの数と背景映像１９ｄとが対応しているか否かを確認する（Ｓ５）。ここで、観客キャラクタ１９ｃの数と背景映像１９ｄとが対応していれば、前回と同様の背景映像１９ｄを使用した合成歌唱動画１９を生成する（Ｓ６）。一方、観客キャラクタ１９ｃの数と背景映像１９ｄとが対応していなければ、観客キャラクタ１９ｃの数に対応した新たな背景映像１９ｄを使用した合成歌唱動画１９を生成する（Ｓ７）。
【００４５】
例えば、視聴者が再生したい合成歌唱動画Ａを指定し、再生を指示したとする。図４（ａ）に示すように、前回の動画再生においては、合成歌唱動画Ａは、一般的なカラオケルーム（背景映像１）の所定席で歌唱者キャラクタ１９ｂが歌唱し、歌唱者の周囲に観客キャラクタ１９ｃが９名座っている映像である。
【００４６】
合成歌唱動画Ａを再生する度に、観客キャラクタ１９ｃの数が増加する。したがって、今回の動画再生に際して、９名であった観客キャラクタ１９ｃが１人増えて１０名となる。ここで、既存の背景映像１が対応する観客キャラクタ１９ｃの数は９名以下であり、現在の観客キャラクタ１９ｃの数である１０名とは対応しなくなるので、他の背景映像１９ｄの中から観客キャラクタ１９ｃの数である１０名に対応する背景映像１９ｄを選択する。そして、観客キャラクタ１９ｃの数と背景映像１９ｄとの対応テーブルを参照して、合成歌唱動画１９を生成する。観客キャラクタ１９ｃの数と背景映像１９ｄとの対応テーブルは、例えば、図２に示すように、背景映像１９ｄの識別番号と、観客キャラクタ１９ｃの数と、背景映像１９ｄの内容とを関連付けて構成したデータテーブルである。
【００４７】
合成歌唱動画１９を編集した結果、今回の再生においては、新たな背景映像１９ｄを使用した合成歌唱動画Ａを生成する。具体的には、図４（ｂ）に示すように、合成歌唱動画Ａは、ライブハウス（背景映像２）のステージで歌唱者キャラクタ１９ｂが歌唱し、客席に観客キャラクタ１９ｃが１０名座っている映像となる。なお、追加する観客キャラクタ１９ｃは、予めデータベースで管理されている視聴者の属人情報（生年月日、性別など）に応じて、サーバ１０が適宜選択した観客キャラクタ１９ｃで構成することができる。
【００４８】
＜他の実施形態＞
また、視聴者が合成歌唱動画公開サイトにアクセスして再生する合成歌唱動画１９を指定する際、サーバ１０は視聴者に対して顔写真やイラストなどオリジナルの観客キャラクタ１９ｃのキャラクタデータを送信するか否かを問合せるようにしてもよい。このような構成とした場合に、視聴者がオリジナルの観客キャラクタ１９ｃのキャラクタデータの送信を希望すると、当該キャラクタデータを受信し、観客キャラクタ１９ｃとして合成歌唱動画１９を生成する。
【００４９】
また、観客キャラクタ１９ｃの数が実在する有名施設の収容人数に達した場合には、当該施設をイメージした背景映像１９ｄにより構成された合成歌唱動画１９を、所定回数だけ再生してもよい。この合成歌唱動画１９は、いわゆるレア映像となり、歌唱者及び視聴者の双方にとって、合成歌唱動画１９の公開及び鑑賞の楽しさを高めることができる。
【００５０】
合成歌唱動画１９が生成されると、サーバ１０は、編集後の合成歌唱動画１９を当該合成歌唱動画１９のカラオケ演奏と同期させて、視聴者のパーソナルコンピュータ８０等に対してストリーミング配信する。また、サーバ１０は、合成歌唱動画１９を当該合成歌唱動画１９のカラオケ演奏と同期させながらストリーミング配信する際に、歌唱音声１９ａに対して、背景映像１９ｄにマッチした音響効果（リバーブ）を付与してもよい。すなわち、観客キャラクタ１９ｃの数と背景映像１９ｄとの対応テーブル（図２参照）において、背景映像１〜９に対する効果データとして、リバーブの種類（例えば、「ルーム」、「ホール」、「シアター」など空間の大きさを表すパラメータ）やリバーブ・センド・レベル（例えば０〜１００の数値）などを対応付けてもよい。このような構成とすることにより、歌唱音声１９ａと背景映像１９ｄの一体感が増し、より一層、合成歌唱動画１９の公開及び鑑賞の楽しさを高めることができる。
【００５１】
また、観客キャラクタ１９ｃの数と背景映像１９ｄとの対応テーブルは、楽曲のジャンル毎、あるいは原曲歌手毎に用意してもよい。さらに、レア映像は、視聴者の属性情報や所在地情報に応じて、その地域に実在する（ご当地）施設をイメージした背景映像１９ｄを使用してもよい。
【００５２】
なお、追加する観客キャラクタ１９ｃの数は、再生回数１回につき１人であってもよいし、２人以上の所定人数であってもよい。また、観客キャラクタ１９ｃの数に対応させて、歌唱者キャラクタ１９ｂ（例えば、衣装）をグレードアップさせてもよい。
【００５３】
また、合成歌唱動画１９と、歌唱者の歌唱時の動作を抽出した動作データとを紐付けて記憶しておき、ステージを伴った背景映像１９ｄと合成する際に、当該歌唱者の動作データに基づいて、歌唱者キャラクタ１９ｂの動きを制御してもよい。例えば、背景映像１では着席して歌唱するので動作データはほとんど反映させないが、背景映像９では広いステージを動き回らせるために動作データを誇張して反映させる等、種々の制御が可能である。
【００５４】
また、上述した実施形態では、合成歌唱動画１９の再生要求を受け付ける毎に観客キャラクタ１９ｃの数を増加させているが、合成歌唱動画１９の再生回数を管理しておき、所定期間内の再生回数を基準として、観客キャラクタ１９ｃの数及びこれに対応した背景映像１９ｄを選択するように構成してもよい。このような構成の場合には、所定期間内の再生回数に対応させて背景映像１９ｄとなる施設の規模を変化させる。具体的には、所定期間内の再生回数が多くなるに従い、背景映像１９ｄとなる施設が豪華なものとなる。一方、所定期間内の再生回数が少なくなるに従い、背景映像１９ｄとなる施設が小さなものとなる。これにより、合成歌唱動画１９の人気の動静に応じて、背景映像１９ｄを変化させることができるので、歌唱動画の楽しみ方にバリエーションを持たせることができる。
【００５５】
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００５６】
１０  サーバ
１１  中央制御手段
１２  通信制御手段
１３  取得手段
１４  編集手段
１５  配信手段
１６  受信手段
１７  効果付与手段
１８  第１記憶手段
１９  合成歌唱動画
１９ａ  歌唱音声
１９ｂ  歌唱者キャラクタ
１９ｃ  観客キャラクタ
１９ｄ  背景映像
２０  第２記憶手段
２０ａ  キャラクタデータ
２１  第３記憶手段
２１ａ  背景映像データ
３０  カラオケ演奏装置
４０  通信基地局
５０  データ通信回線
６０  ルータ
７０  携帯情報端末
８０  パーソナルコンピュータ
【図１】
2015210345.tif 000003
【図２】
2015210345.tif 000004
【図３】
2015210345.tif 000005
【図４】
2015210345.tif 000006